(57)【要約】  本発明はチャネルリソースセットの指示方法及び装置、コンピュータ記憶媒体を開示し、前記方法は、端末が少なくとも２つのリソースセットを決定し、異なるリソースセットはそれぞれ異なる設定情報に対応し、前記設定情報は、ＤＣＩフォーマットタイプ、アップリンク・ダウンリンクリソース占有率、ダウンリンク制御チャネルのサーチ空間タイプの内の、少なくとも１つを含むことと、前記端末が第１設定情報を決定することと、前記端末が前記少なくとも２つのリソースセットから前記第１設定情報に対応する第１リソースセットを決定することと、前記端末が前記第１リソースセットからターゲットリソースを決定することと、前記端末が前記ターゲットリソースにおいて、前記第１設定情報に対応するシグナリングまたはデータを伝送することと、を含む。
2021512511.tif 000002
【特許請求の範囲】
【請求項１】
チャネルリソースセットの指示方法であって、前記方法は、
端末が少なくとも２つのリソースセットを決定し、異なるリソースセットはそれぞれ異なる設定情報に対応し、前記設定情報は、ダウンリンク制御情報（ＤＣＩ）フォーマットタイプ、アップリンク・ダウンリンクリソース占有率、ダウンリンク制御チャネルのサーチ空間タイプの内の、少なくとも１つを含むことと、
前記端末が第１設定情報を決定することと、
前記端末が前記少なくとも２つのリソースセットから前記第１設定情報に対応する第１リソースセットを決定することと、
前記端末が前記第１リソースセットからターゲットリソースを決定することと、
前記端末が前記ターゲットリソースにおいて、前記第１設定情報に対応するシグナリングまたはデータを伝送することと、を含むチャネルリソースセットの指示方法。
【請求項２】
前記端末が少なくとも２つのリソースセットを決定することは、
前記端末が予め設定された情報に基づいて、少なくとも２つのリソースセットの設定を決定することを含む、請求項１に記載の方法。
【請求項３】
前記端末が少なくとも２つのリソースセットを決定することは、
前記端末がネットワーク装置から送信された第１メッセージに基づいて、少なくとも２つのリソースセットの設定を決定することを含む、請求項１に記載の方法。
【請求項４】
前記第１メッセージは無線リソース制御（ＲＲＣ）制御シグナリングまたはシステム情報（ＳＩ）である、請求項３に記載の方法。
【請求項５】
前記端末が第１設定情報を決定することは、
前記端末が予め設定されたルールに基づいて前記第１設定情報を獲得することを含む、請求項１に記載の方法。
【請求項６】
前記端末が第１設定情報を決定することは、
前記端末がネットワーク装置から送信された第２メッセージに基づいて、第１設定情報を決定することを含む、請求項１に記載の方法。
【請求項７】
前記第２メッセージは、ＲＲＣ制御シグナリング、またはＳＩ、またはＤＣＩ、またはメディアアクセス制御（ＭＡＣ）の制御要素（ＣＥ）である、請求項６に記載の方法。
【請求項８】
前記端末が前記第１リソースセットからターゲットリソースを決定することは、
前記端末がネットワーク装置から送信された第３メッセージに基づいて、前記第１リソースセットからターゲットリソースを決定し、
前記第３メッセージは、前記第１リソースの前記第１リソースセットでの番号情報を含むことを含む、請求項１に記載の方法。
【請求項９】
前記第３メッセージは、ＤＣＩ及び／又はＭＡＣ  ＣＥである、請求項８に記載の方法。
【請求項１０】
前記異なるリソースセットがそれぞれ異なる設定情報に対応することは、
前記異なるリソースセットがそれぞれ異なるＤＣＩフォーマットタイプに対応し、または、
前記異なるリソースセットがそれぞれ異なるアップリンク・ダウンリンクリソース占有率に対応し、または、
前記異なるリソースセットがそれぞれ異なるダウンリンク制御チャネルのサーチ空間タイプに対応することを含む、請求項１〜９のいずれか１項に記載の方法。
【請求項１１】
前記異なるリソースセットがそれぞれ異なる設定情報に対応することは、
前記異なるリソースセットがそれぞれ異なるＤＣＩフォーマットタイプとアップリンク・ダウンリンクリソース占有率に対応し、または、
前記異なるリソースセットがそれぞれ異なるＤＣＩフォーマットタイプとダウンリンク制御チャネルのサーチ空間タイプに対応し、または、
前記異なるリソースセットがそれぞれ異なるアップリンク・ダウンリンクリソース占有率とダウンリンク制御チャネルのサーチ空間タイプに対応することを含む、請求項１〜９のいずれか１項に記載の方法。
【請求項１２】
前記異なるリソースセットがそれぞれ異なる設定情報に対応することは、
前記異なるリソースセットがそれぞれ異なるＤＣＩフォーマットタイプ、アップリンク・ダウンリンクリソース占有率、及びダウンリンク制御チャネルのサーチ空間タイプに対応することを含む、請求項１〜９のいずれか１項に記載の方法。
【請求項１３】
各リソースセットは少なくとも１つの時間領域、及び／または、周波数領域、及び／または、コード領域のリソースを含む、請求項１〜１２のいずれか１項に記載の方法。
【請求項１４】
チャネルリソースセットの指示方法であって、前記方法は、
ネットワーク装置が端末に少なくとも２つのリソースセットを設定し、異なるリソースセットはそれぞれ異なる設定情報に基づいて設定され、前記設定情報は、ＤＣＩフォーマットタイプ、アップリンク・ダウンリンクリソース占有率、ダウンリンク制御チャネルのサーチ空間タイプの内の、少なくとも１つを含むことと、
前記ネットワーク装置が前記端末を指示して前記少なくとも２つのリソースセットの内の１つのリソースセットからターゲットリソースを選択することと、を含むチャネルリソースセットの指示方法。
【請求項１５】
前記ネットワーク装置が端末に少なくとも２つのリソースセットを設定することは、
ネットワーク装置が端末に第１メッセージを送信して少なくとも２つのリソースセットの設定を設定することを含む、請求項１４に記載の方法。
【請求項１６】
前記第１メッセージはＲＲＣ制御シグナリングまたはＳＩである、請求項１５に記載の方法。
【請求項１７】
前記方法は更に、
前記ネットワーク装置が前記端末に第２メッセージを送信して、前記第２メッセージによって、前記少なくとも２つのリソースセットから第１リソースセットを決定することを含む、請求項１４に記載の方法。
【請求項１８】
前記第２メッセージは、ＲＲＣ制御シグナリング、またはＳＩ、またはＤＣＩ、またはＭＡＣ  ＣＥである、請求項１７に記載の方法。
【請求項１９】
前記方法は更に、
前記ネットワーク装置が前記端末に第３メッセージを送信して、前記第３メッセージによって、前記第１リソースセットからターゲットリソースを決定し、
前記第３メッセージは、前記第１リソースの前記第１リソースセットでの番号情報を含むことを含む、請求項１７に記載の方法。
【請求項２０】
前記第３メッセージは、ＤＣＩ及び／又はＭＡＣ  ＣＥである、請求項１９に記載の方法。
【請求項２１】
前記異なるリソースセットをそれぞれ異なる設定情報に基づいて設定することは、
異なるＤＣＩフォーマットタイプに基づいて異なるリソースセットを設定し、または、
異なるアップリンク・ダウンリンクリソース占有率に基づいて異なるリソースセットを設定し、または、
異なるダウンリンク制御チャネルのサーチ空間タイプに基づいて異なるリソースセットを設定することを含む、請求項１４〜２０のいずれか１項に記載の方法。
【請求項２２】
前記異なるリソースセットをそれぞれ異なる設定情報に基づいて設定することは、
異なるＤＣＩフォーマットタイプとアップリンク・ダウンリンクリソース占有率に基づいて異なるリソースセットを設定し、または、
異なるＤＣＩフォーマットタイプとダウンリンク制御チャネルのサーチ空間タイプに基づいて異なるリソースセットを設定し、または、
異なるアップリンク・ダウンリンクリソース占有率とダウンリンク制御チャネルのサーチ空間タイプに基づいて異なるリソースセットを設定することを含む、請求項１４〜２０のいずれか１項に記載の方法。
【請求項２３】
前記異なるリソースセットをそれぞれ異なる設定情報に基づいて設定することは、
異なるＤＣＩフォーマットタイプ、アップリンク・ダウンリンクリソース占有率、及びダウンリンク制御チャネルのサーチ空間タイプに基づいて異なるリソースセットを設定することを含む、請求項１４〜２０のいずれか１項に記載の方法。
【請求項２４】
チャネルリソースセットの指示装置であって、前記装置は、
少なくとも２つのリソースセットを決定し、異なるリソースセットはそれぞれ異なる設定情報に対応し、前記設定情報は、ＤＣＩフォーマットタイプ、アップリンク・ダウンリンクリソース占有率、ダウンリンク制御チャネルのサーチ空間タイプの内の、少なくとも１つを含むように設定される第１決定ユニットと、
第１設定情報を決定するように設定される第２決定ユニットと、
前記少なくとも２つのリソースセットから前記第１設定情報に対応する第１リソースセットを決定するように設定される第１選択ユニットと、
前記第１リソースセットからターゲットリソースを決定するように設定される第２選択ユニットと、
前記ターゲットリソースにおいて、前記第１設定情報に対応するシグナリングまたはデータを伝送するように設定される伝送ユニットと、を含む、チャネルリソースセットの指示装置。
【請求項２５】
前記第１決定ユニットは、予め設定された情報に基づいて、少なくとも２つのリソースセットの設定を決定するように設定される、請求項２４に記載の装置。
【請求項２６】
前記第１決定ユニットは、ネットワーク装置から送信された第１メッセージに基づいて、少なくとも２つのリソースセットの設定を決定するように設定される、請求項２４に記載の装置。
【請求項２７】
前記第１メッセージはＲＲＣ制御シグナリングまたはＳＩである、請求項２６に記載の装置。
【請求項２８】
前記第２決定ユニットは、予め設定されたルールに基づいて前記第１設定情報を獲得するように設定される、請求項２４に記載の装置。
【請求項２９】
前記第２決定ユニットは、ネットワーク装置から送信された第２メッセージに基づいて、第１設定情報を決定するように設定される、請求項２４に記載の装置。
【請求項３０】
前記第２メッセージは、ＲＲＣ制御シグナリング、またはＳＩ、またはＤＣＩ、またはメディアアクセス制御（ＭＡＣ）の制御要素（ＣＥ）である、請求項２９に記載の装置。
【請求項３１】
前記第２選択ユニットは、ネットワーク装置から送信された第３メッセージに基づいて、前記第１リソースセットからターゲットリソースを決定するように設定され、
前記第３メッセージは、前記第１リソースの前記第１リソースセットでの番号情報を含む、請求項２４に記載の装置。
【請求項３２】
前記第３メッセージは、ＤＣＩ及び／又はＭＡＣ  ＣＥである、請求項３１に記載の装置。
【請求項３３】
前記異なるリソースセットがそれぞれ異なる設定情報に対応することは、
前記異なるリソースセットがそれぞれ異なるＤＣＩフォーマットタイプに対応し、または、
前記異なるリソースセットがそれぞれ異なるアップリンク・ダウンリンクリソース占有率に対応し、または、
前記異なるリソースセットがそれぞれ異なるダウンリンク制御チャネルのサーチ空間タイプに対応することを含む、請求項２４〜３２のいずれか１項に記載の装置。
【請求項３４】
前記異なるリソースセットがそれぞれ異なる設定情報に対応することは、
前記異なるリソースセットがそれぞれ異なるＤＣＩフォーマットタイプとアップリンク・ダウンリンクリソース占有率に対応し、または、
前記異なるリソースセットがそれぞれ異なるＤＣＩフォーマットタイプとダウンリンク制御チャネルのサーチ空間タイプに対応し、または、
前記異なるリソースセットがそれぞれ異なるアップリンク・ダウンリンクリソース占有率とダウンリンク制御チャネルのサーチ空間タイプに対応することを含む、請求項２４〜３２のいずれか１項に記載の装置。
【請求項３５】
前記異なるリソースセットがそれぞれ異なる設定情報に対応することは、
前記異なるリソースセットがそれぞれ異なるＤＣＩフォーマットタイプ、アップリンク・ダウンリンクリソース占有率、及びダウンリンク制御チャネルのサーチ空間タイプに対応することを含む、請求項２４〜３２のいずれか１項に記載の装置。
【請求項３６】
各リソースセットは少なくとも１つの時間領域、及び／または、周波数領域、及び／または、コード領域のリソースを含む、請求項２４〜３５のいずれか１項に記載の装置。
【請求項３７】
チャネルリソースセットの指示装置であって、前記装置は、
端末に少なくとも２つのリソースセットを設定し、異なるリソースセットはそれぞれ異なる設定情報に基づいて設定され、前記設定情報は、ＤＣＩフォーマットタイプ、アップリンク・ダウンリンクリソース占有率、ダウンリンク制御チャネルのサーチ空間タイプの内の、少なくとも１つを含むように設定される設定ユニットと、
前記端末を指示して前記少なくとも２つのリソースセットの内の１つのリソースセットからターゲットリソースを選択するように設定される指示ユニットと、を含むチャネルリソースセットの指示装置。
【請求項３８】
前記設定ユニットは、端末に第１メッセージを送信して少なくとも２つのリソースセットの設定を設定するように設定される、請求項３７に記載の装置。
【請求項３９】
前記第１メッセージはＲＲＣ制御シグナリングまたはＳＩである、請求項３８に記載の装置。
【請求項４０】
前記指示ユニットは、前記端末に第２メッセージを送信して、前記第２メッセージによって、前記少なくとも２つのリソースセットから第１リソースセットを決定するように設定される、請求項３７に記載の装置。
【請求項４１】
前記第２メッセージは、ＲＲＣ制御シグナリング、またはＳＩ、またはＤＣＩ、またはＭＡＣ  ＣＥである、請求項４０に記載の装置。
【請求項４２】
前記指示ユニットは、前記端末に第３メッセージを送信して、前記第３メッセージによって、前記第１リソースセットからターゲットリソースを決定するように設定され、
前記第３メッセージは、前記第１リソースの前記第１リソースセットでの番号情報を含む、請求項４０に記載の装置。
【請求項４３】
前記第３メッセージは、ＤＣＩ及び／又はＭＡＣ  ＣＥである、請求項４２に記載の装置。
【請求項４４】
前記異なるリソースセットをそれぞれ異なる設定情報に基づいて設定することは、
異なるＤＣＩフォーマットタイプに基づいて異なるリソースセットを設定し、または、
異なるアップリンク・ダウンリンクリソース占有率に基づいて異なるリソースセットを設定し、または、
異なるダウンリンク制御チャネルのサーチ空間タイプに基づいて異なるリソースセットを設定することを含む、請求項３７〜４３のいずれか１項に記載の装置。
【請求項４５】
前記異なるリソースセットをそれぞれ異なる設定情報に基づいて設定することは、
異なるＤＣＩフォーマットタイプとアップリンク・ダウンリンクリソース占有率に基づいて異なるリソースセットを設定し、または、
異なるＤＣＩフォーマットタイプとダウンリンク制御チャネルのサーチ空間タイプに基づいて異なるリソースセットを設定し、または、
異なるアップリンク・ダウンリンクリソース占有率とダウンリンク制御チャネルのサーチ空間タイプに基づいて異なるリソースセットを設定することを含む、請求項３７〜４３のいずれか１項に記載の装置。
【請求項４６】
前記異なるリソースセットをそれぞれ異なる設定情報に基づいて設定することは、
異なるＤＣＩフォーマットタイプ、アップリンク・ダウンリンクリソース占有率、及びダウンリンク制御チャネルのサーチ空間タイプに基づいて異なるリソースセットを設定することを含む、請求項３７〜４３のいずれか１項に記載の装置。
【請求項４７】
コンピュータ記憶媒体であって、コンピュータ実行可能な命令が記憶され、該コンピュータ実行可能な命令がプロセッサによって実行される時、請求項１〜１３のいずれか１項に記載の方法手順、または請求項１４〜２３のいずれか１項に記載の方法手順が実現されるコンピュータ記憶媒体。
【発明の詳細な説明】
【技術分野】
【０００１】
本発明は無線通信技術分野に関し、特にチャネルリソースセットの指示方法及び装置、コンピュータ記憶媒体に関する。
【背景技術】
【０００２】
ロング・ターム・イボリューション（ＬＴＥ、Ｌｏｎｇ  Ｔｅｒｍ  Ｅｖｏｌｕｔｉｏｎ）システムでは、物理チャネル（例えば、物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）、物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ））の時間周波数リソースは、ダウンリンク制御情報（ＤＣＩ、Ｄｏｗｎｌｉｎｋ  Ｃｏｎｔｒｏｌ  Ｉｎｆｏｒｍａｔｉｏｎ）によって指示される。時間領域スケジューリングの粒度はタイムスロットまたはサブフレームであり、周波数領域スケジューリングの帯域幅はシステム帯域幅全体である。
【０００３】
第５世代移動通信（５Ｇ）システムはより柔軟なスケジューリングをサポートし、時間領域はタイムスロットとシンボルレベルのスケジューリングをサポートし、周波数領域はシステム帯域幅より小さい帯域幅セグメント（ＢＷＰ、Ｂａｎｄｗｉｄｔｈ  Part）内でリソースをスケジューリングでき、制御チャネル（例えば物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ））はまたコード領域リソースを柔軟に割り当てることもでき、５Ｇシステムでは、直接ＤＣＩのみを使用してリソースを指示することは大きいシグナリングオーバヘッドをもたらす。そのため、５Ｇでは一般的に、無線リソース制御（ＲＲＣ、Ｒａｄｉｏ  Ｒｅｓｏｕｒｃｅ  Ｃｏｎｔｒｏｌ）設定とＤＣＩ指示とが連携するリソース割り当て方法を採用し、すなわちＲＲＣシグナリングでいくつかの「候補リソース」を設定し、それからＤＣＩがそのリソースセットから具体的なリソースを指定する。
【０００４】
現在の５Ｇ方式では、ＤＣＩはリソースセットのリソースを指示するのに２〜４ビットだけ使用し、即ち、１つのリソースセットには４〜１６個の候補リソースしか含まれなく、各タイプの物理チャネルには１つのリソースセットしか設定できない。しかし、スケジューリングを必要とするリソースは、開始タイムスロット、タイムスロット数、開始シンボル、シンボル数、開始物理リソースブロック（ＰＲＢ、Ｐｈｙｓｉｃａｌ  Ｒｅｓｏｕｒｃｅ  Ｂｌｏｃｋ）、ＰＲＢ数、コード領域パラメータ（例えば、シーケンス番号、循環シフト番号、直交マスク番号など）、周波数ホッピング・パラメータ（例えば、周波数ホッピングをオンにするかどうか、周波数ホッピングの周波数領域位置）など、多くの次元のパラメータを含み、つまり、１つのリソースセットに含まれる少量の候補リソースは、柔軟なスケジューリングのニーズを満たすことができず、システムのスケジューリングの柔軟性が大幅に制限され、スペクトル効率の低下をもたらす。
【発明の概要】
【０００５】
上記の技術課題を解決するために、本発明の実施例は、チャネルリソースセットの指示方法及び装置、コンピュータ記憶媒体を提供する。
【０００６】
本発明の実施例が提供するチャネルリソースセットの指示方法は、
端末が少なくとも２つのリソースセットを決定し、異なるリソースセットはそれぞれ異なる設定情報に対応し、前記設定情報は、ＤＣＩフォーマットタイプ、アップリンク・ダウンリンクリソース占有率、ダウンリンク制御チャネルのサーチ空間タイプの内の、少なくとも１つを含むことと、
前記端末が第１設定情報を決定することと、
前記端末が前記少なくとも２つのリソースセットから前記第１設定情報に対応する第１リソースセットを決定することと、
前記端末が前記第１リソースセットからターゲットリソースを決定することと、
前記端末が前記ターゲットリソースにおいて、前記第１設定情報に対応するシグナリングまたはデータを伝送することと、を含む。
【０００７】
本発明の実施例において、前記端末が少なくとも２つのリソースセットを決定することは、
前記端末が予め設定された情報に基づいて、少なくとも２つのリソースセットの設定を決定することを含む。
【０００８】
本発明の実施例において、前記端末が少なくとも２つのリソースセットを決定することは、
前記端末がネットワーク装置から送信された第１メッセージに基づいて、少なくとも２つのリソースセットの設定を決定することを含む。
【０００９】
本発明の実施例において、前記第１メッセージはＲＲＣ制御シグナリングまたはシステム情報（ＳＩ、Ｓｙｓｔｅｍ  Ｉｎｆｏｒｍａｔｉｏｎ）である。
【００１０】
本発明の実施例において、前記端末が第１設定情報を決定することは、
前記端末が予め設定されたルールに基づいて前記第１設定情報を獲得することを含む。
【００１１】
本発明の実施例において、前記端末が第１設定情報を決定することは、
前記端末がネットワーク装置から送信された第２メッセージに基づいて、第１設定情報を決定することを含む。
【００１２】
本発明の実施例において、前記第２メッセージは、ＲＲＣ制御シグナリング、またはＳＩ、またはＤＣＩ、またはメディアアクセス制御（ＭＡＣ、Ｍｅｄｉａ  Ａｃｃｅｓｓ  Ｃｏｎｔｒｏｌ）の制御要素（ＣＥ、Ｃｏｎｔｒｏｌ  Ｅｌｅｍｅｎｔ）である。
【００１３】
本発明の実施例において、前記端末が前記第１リソースセットからターゲットリソースを決定することは、
前記端末がネットワーク装置から送信された第３メッセージに基づいて、前記第１リソースセットからターゲットリソースを決定し、
前記第３メッセージは、前記第１リソースの前記第１リソースセットでの番号情報を含むことを含む。
【００１４】
本発明の実施例において、前記第３メッセージは、ＤＣＩ及び／又はＭＡＣ  ＣＥである。
【００１５】
本発明の実施例において、前記異なるリソースセットがそれぞれ異なる設定情報に対応することは、
前記異なるリソースセットがそれぞれ異なるＤＣＩフォーマットタイプに対応し、または、
前記異なるリソースセットがそれぞれ異なるアップリンク・ダウンリンクリソース占有率に対応し、または、
前記異なるリソースセットがそれぞれ異なるダウンリンク制御チャネルのサーチ空間タイプに対応することを含む。
【００１６】
本発明の実施例において、前記異なるリソースセットがそれぞれ異なる設定情報に対応することは、
前記異なるリソースセットがそれぞれ異なるＤＣＩフォーマットタイプとアップリンク・ダウンリンクリソース占有率に対応し、または、
前記異なるリソースセットがそれぞれ異なるＤＣＩフォーマットタイプとダウンリンク制御チャネルのサーチ空間タイプに対応し、または、
前記異なるリソースセットがそれぞれ異なるアップリンク・ダウンリンクリソース占有率とダウンリンク制御チャネルのサーチ空間タイプに対応することを含む。
【００１７】
本発明の実施例において、前記異なるリソースセットがそれぞれ異なる設定情報に対応することは、
前記異なるリソースセットがそれぞれ異なるＤＣＩフォーマットタイプ、アップリンク・ダウンリンクリソース占有率、及びダウンリンク制御チャネルのサーチ空間タイプに対応することを含む。
【００１８】
本発明の実施例において、各リソースセットは少なくとも１つの時間領域、及び／または、周波数領域、及び／または、コード領域のリソースを含む。
【００１９】
本発明の実施例が提供するチャネルリソースセットの指示方法は、
ネットワーク装置が端末に少なくとも２つのリソースセットを設定し、異なるリソースセットはそれぞれ異なる設定情報に基づいて設定され、前記設定情報は、ＤＣＩフォーマットタイプ、アップリンク・ダウンリンクリソース占有率、ダウンリンク制御チャネルのサーチ空間タイプの内の、少なくとも１つを含むことと、
前記ネットワーク装置が前記端末を指示して前記少なくとも２つのリソースセットの内の１つのリソースセットからターゲットリソースを選択することと、を含む。
【００２０】
本発明の実施例において、前記ネットワーク装置が端末に少なくとも２つのリソースセットを設定することは、
ネットワーク装置が端末に第１メッセージを送信して少なくとも２つのリソースセットの設定を設定することを含む。
【００２１】
本発明の実施例において、前記第１メッセージはＲＲＣ制御シグナリングまたはＳＩである。
【００２２】
本発明の実施例において、前記方法は更に、
前記ネットワーク装置が前記端末に第２メッセージを送信して、前記第２メッセージによって、前記少なくとも２つのリソースセットから第１リソースセットを決定することを含む。
【００２３】
本発明の実施例において、前記第２メッセージはＲＲＣ制御シグナリング、またはＳＩ、またはＤＣＩ、またはＭＡＣ  ＣＥである。
【００２４】
本発明の実施例において、前記方法は更に、
前記ネットワーク装置が前記端末に第３メッセージを送信して、前記第３メッセージによって、前記第１リソースセットからターゲットリソースを決定し、
前記第３メッセージは、前記第１リソースの前記第１リソースセットでの番号情報を含むことを含む。
【００２５】
本発明の実施例において、前記第３メッセージは、ＤＣＩ及び／又はＭＡＣ  ＣＥである。
【００２６】
本発明の実施例において、前記異なるリソースセットをそれぞれ異なる設定情報に基づいて設定することは、
異なるＤＣＩフォーマットタイプに基づいて異なるリソースセットを設定し、または、
異なるアップリンク・ダウンリンクリソース占有率に基づいて異なるリソースセットを設定し、または、
異なるダウンリンク制御チャネルのサーチ空間タイプに基づいて異なるリソースセットを設定することを含む。
【００２７】
本発明の実施例において、前記異なるリソースセットをそれぞれ異なる設定情報に基づいて設定することは、
異なるＤＣＩフォーマットタイプとアップリンク・ダウンリンクリソース占有率に基づいて異なるリソースセットを設定し、または、
異なるＤＣＩフォーマットタイプとダウンリンク制御チャネルのサーチ空間タイプに基づいて異なるリソースセットを設定し、または、
異なるアップリンク・ダウンリンクリソース占有率とダウンリンク制御チャネルのサーチ空間タイプに基づいて異なるリソースセットを設定することを含む。
【００２８】
本発明の実施例において、前記異なるリソースセットをそれぞれ異なる設定情報に基づいて設定することは、
異なるＤＣＩフォーマットタイプ、アップリンク・ダウンリンクリソース占有率、及びダウンリンク制御チャネルのサーチ空間タイプに基づいて異なるリソースセットを設定することを含む。
【００２９】
本発明の実施例が提供するチャネルリソースセットの指示装置は、
少なくとも２つのリソースセットを決定し、異なるリソースセットはそれぞれ異なる設定情報に対応し、前記設定情報は、ＤＣＩフォーマットタイプ、アップリンク・ダウンリンクリソース占有率、ダウンリンク制御チャネルのサーチ空間タイプの内の、少なくとも１つを含むように設定される第１決定ユニットと、
第１設定情報を決定するように設定される第２決定ユニットと、
前記少なくとも２つのリソースセットから前記第１設定情報に対応する第１リソースセットを決定するように設定される第１選択ユニットと、
前記第１リソースセットからターゲットリソースを決定するように設定される第２選択ユニットと、
前記ターゲットリソースにおいて、前記第１設定情報に対応するシグナリングまたはデータを伝送するように設定される伝送ユニットと、を含む。
【００３０】
本発明の実施例において、前記第１決定ユニットは、予め設定された情報に基づいて、少なくとも２つのリソースセットの設定を決定するように設定される。
【００３１】
本発明の実施例において、前記第１決定ユニットは、ネットワーク装置から送信された第１メッセージに基づいて、少なくとも２つのリソースセットの設定を決定するように設定される。
【００３２】
本発明の実施例において、前記第１メッセージはＲＲＣ制御シグナリングまたはＳＩである。
【００３３】
本発明の実施例において、前記第２決定ユニットは、予め設定されたルールに基づいて前記第１設定情報を獲得するように設定される。
【００３４】
本発明の実施例において、前記第２決定ユニットは、ネットワーク装置から送信された第２メッセージに基づいて、第１設定情報を決定するように設定される。
【００３５】
本発明の実施例において、前記第２メッセージは、ＲＲＣ制御シグナリング、またはＳＩ、またはＤＣＩ、またはメディアアクセス制御ＭＡＣの制御要素ＣＥである。
【００３６】
本発明の実施例において、前記第２選択ユニットは、ネットワーク装置から送信された第３メッセージに基づいて、前記第１リソースセットからターゲットリソースを決定するように設定され、
前記第３メッセージは、前記第１リソースの前記第１リソースセットでの番号情報を含む。
【００３７】
本発明の実施例において、前記第３メッセージは、ＤＣＩ及び／又はＭＡＣ  ＣＥである。
【００３８】
本発明の実施例において、前記異なるリソースセットがそれぞれ異なる設定情報に対応することは、
前記異なるリソースセットがそれぞれ異なるＤＣＩフォーマットタイプに対応し、または、
前記異なるリソースセットがそれぞれ異なるアップリンク・ダウンリンクリソース占有率に対応し、または、
前記異なるリソースセットがそれぞれ異なるダウンリンク制御チャネルのサーチ空間タイプに対応することを含む。
【００３９】
本発明の実施例において、前記異なるリソースセットがそれぞれ異なる設定情報に対応することは、
前記異なるリソースセットがそれぞれ異なるＤＣＩフォーマットタイプとアップリンク・ダウンリンクリソース占有率に対応し、または、
前記異なるリソースセットがそれぞれ異なるＤＣＩフォーマットタイプとダウンリンク制御チャネルのサーチ空間タイプに対応し、または、
前記異なるリソースセットがそれぞれ異なるアップリンク・ダウンリンクリソース占有率とダウンリンク制御チャネルのサーチ空間タイプに対応することを含む。
【００４０】
本発明の実施例において、前記異なるリソースセットがそれぞれ異なる設定情報に対応することは、
前記異なるリソースセットがそれぞれ異なるＤＣＩフォーマットタイプ、アップリンク・ダウンリンクリソース占有率、及びダウンリンク制御チャネルのサーチ空間タイプに対応することを含む。
【００４１】
本発明の実施例において、各リソースセットは少なくとも１つの時間領域、及び／または、周波数領域、及び／または、コード領域のリソースを含む。
【００４２】
本発明の実施例が提供するチャネルリソースセットの指示装置は、
端末に少なくとも２つのリソースセットを設定し、異なるリソースセットはそれぞれ異なる設定情報に基づいて設定され、前記設定情報は、ＤＣＩフォーマットタイプ、アップリンク・ダウンリンクリソース占有率、ダウンリンク制御チャネルのサーチ空間タイプの内の、少なくとも１つを含むように設定される設定ユニットと、
前記端末を指示して前記少なくとも２つのリソースセットの内の１つのリソースセットからターゲットリソースを選択するように設定される指示ユニットと、を含む。
【００４３】
本発明の実施例において、前記設定ユニットは、端末に第１メッセージを送信して少なくとも２つのリソースセットの設定を設定するように設定される。
【００４４】
本発明の実施例において、前記第１メッセージはＲＲＣ制御シグナリングまたはＳＩである。
【００４５】
本発明の実施例において、前記指示ユニットは、前記端末に第２メッセージを送信して、前記第２メッセージによって、前記少なくとも２つのリソースセットから第１リソースセットを決定するように設定される。
【００４６】
本発明の実施例において、前記第２メッセージはＲＲＣ制御シグナリング、またはＳＩ、またはＤＣＩ、またはＭＡＣ  ＣＥである。
【００４７】
本発明の実施例において、前記指示ユニットは、前記端末に第３メッセージを送信して、前記第３メッセージによって、前記第１リソースセットからターゲットリソースを決定するように設定され、
前記第３メッセージは、前記第１リソースの前記第１リソースセットでの番号情報を含む。
【００４８】
本発明の実施例において、前記第３メッセージは、ＤＣＩ及び／又はＭＡＣ  ＣＥである。
【００４９】
本発明の実施例において、前記異なるリソースセットをそれぞれ異なる設定情報に基づいて設定することは、
異なるＤＣＩフォーマットタイプに基づいて異なるリソースセットを設定し、または、
異なるアップリンク・ダウンリンクリソース占有率に基づいて異なるリソースセットを設定し、または、
異なるダウンリンク制御チャネルのサーチ空間タイプに基づいて異なるリソースセットを設定することを含む。
【００５０】
本発明の実施例において、前記異なるリソースセットをそれぞれ異なる設定情報に基づいて設定することは、
異なるＤＣＩフォーマットタイプとアップリンク・ダウンリンクリソース占有率に基づいて異なるリソースセットを設定し、または、
異なるＤＣＩフォーマットタイプとダウンリンク制御チャネルのサーチ空間タイプに基づいて異なるリソースセットを設定し、または、
異なるアップリンク・ダウンリンクリソース占有率とダウンリンク制御チャネルのサーチ空間タイプに基づいて異なるリソースセットを設定することを含む。
【００５１】
本発明の実施例において、前記異なるリソースセットをそれぞれ異なる設定情報に基づいて設定することは、
異なるＤＣＩフォーマットタイプ、アップリンク・ダウンリンクリソース占有率、及びダウンリンク制御チャネルのサーチ空間タイプに基づいて異なるリソースセットを設定することを含む。
【００５２】
本発明実施例の提供するコンピュータ記憶媒体にはコンピュータ実行可能な命令が記憶され、該コンピュータ実行可能な命令がプロセッサによって実行される時、上記のチャネルリソースセットの指示方法が実現される。
【００５３】
本発明実施例の提供する技術案では、端末が少なくとも２つのリソースセットを決定し、異なるリソースセットはそれぞれ異なる設定情報に対応し、前記設定情報は、ＤＣＩフォーマットタイプ、アップリンク・ダウンリンクリソース占有率、ダウンリンク制御チャネルのサーチ空間タイプの内の、少なくとも１つを含み、前記端末が第１設定情報を決定し、前記端末が前記少なくとも２つのリソースセットから前記第１設定情報に対応する第１リソースセットを決定し、前記端末が前記第１リソースセットからターゲットリソースを決定し、前記端末が前記ターゲットリソースにおいて、前記第１設定情報に対応するシグナリングまたはデータを伝送する。本発明実施例の提供する技術案を採用して、異なるＤＣＩフォーマット（ＤＣＩ  Ｆｏｒｍａｔ）、異なるダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）のサーチ空間タイプ、異なるアップリンク・ダウンリンクリソース配合比率に対して異なるリソースセットを設定することで、物理層シグナリングオーバヘッドを高めることがなく、候補リソースの数を大幅に増やすことができ、それによって、更に大きいスケジューリング柔軟性を獲得し、システムのスペクトル効率を向上させることができる。
【図面の簡単な説明】
【００５４】
ここで説明する図面は本発明を更に理解するためのもので、本願の一部分となる。本発明の模式的な実施例及びその説明は本発明を説明するためのもので、本発明に対する不適切な限定にはならない。図面について、
【図１】図１は本発明実施例のチャネルリソースセットの指示方法の模式的なフローチャート図１である。
【図２】図２は本発明実施例のチャネルリソースセットの指示方法の模式的なフローチャート図２である。
【図３】図３は本発明実施例のチャネルリソースセットの指示装置の模式的な構造構成図１である。
【図４】図４は本発明実施例のチャネルリソースセットの指示装置の模式的な構造構成図２である。
【図５】図５は本発明実施例のコンピュータ装置の模式的な構成図である。
【発明を実施するための形態】
【００５５】
本発明実施例の特徴と技術内容を更に詳しく理解してもらうために、以下は図面を参照しながら本発明実施例の実現について詳しく説明する。尚、添付の図面はただ説明し参考するためのもので、本発明の実施例を限定するためのものではない。
【００５６】
図１は、本発明実施例のチャネルリソースセットの指示方法の模式的なフローチャット図１であり、図１に示すように、前記チャネルリソースセットの指示方法は以下のステップを含む。
【００５７】
ステップ１０１では、端末が少なくとも２つのリソースセットを決定し、異なるリソースセットはそれぞれ異なる設定情報に対応し、前記設定情報は、ＤＣＩフォーマットタイプ、アップリンク・ダウンリンクリソース占有率、ダウンリンク制御チャネルのサーチ空間タイプの内の、少なくとも１つを含む。
【００５８】
ここで、前記端末は、携帯電話、タブレットＰＣ等、通信ネットワークに接続できる装置である。
【００５９】
本発明の実施例において、各リソースセットは少なくとも１つの時間領域、及び／または、周波数領域、及び／または、コード領域のリソースを含む。
【００６０】
尚、理解必要なのは、異なるリソースセットの含む、少なくとも１つの時間領域、及び／または、周波数領域、及び／または、コード領域のリソースは少なくともその一部は異なり、または、異なるリソースセットの含む、少なくとも１つの時間領域、及び／または、周波数領域、及び／または、コード領域のリソースは完全に異なる、ということである。
【００６１】
本発明の実施例において、端末が少なくとも２つのリソースセットを決定することは、以下の形態で実現できるが、その限りではない。
【００６２】
形態１では、前記端末が予め設定された情報に基づいて、少なくとも２つのリソースセットの設定を決定する。
【００６３】
ここで、予め設定された情報（予め定義された情報と称してもよい）は、端末側で他の操作で獲得した情報に基づいて予め設定したものであってもよい。
【００６４】
形態２では、前記端末がネットワーク装置から送信された第１メッセージに基づいて、少なくとも２つのリソースセットの設定を決定する。
【００６５】
ここで、前記第１メッセージはＲＲＣ制御シグナリングまたはＳＩである。
【００６６】
本発明の実施例において、設定情報は、ＤＣＩフォーマットタイプ、アップリンク・ダウンリンクリソース占有率、ダウンリンク制御チャネルのサーチ空間タイプの内の、少なくとも１つを含む。
【００６７】
ここで、前記アップリンク・ダウンリンクリソース占有率は、アップリンク・ダウンリンク配合比率、タイムスロットフォーマットの内の少なくとも１つを含む。理解すべきなのは、アップリンク・ダウンリンクリソース占有率は、アップリンクリソースとダウンリンクリソースとの位置関係、例えば、１つのタイムスロットにおけるどのシンボルがアップリンクリソースに対応し、どのシンボルがダウンリンクリソースに対応するかを表すことに用いられる。
【００６８】
ここで、前記ダウンリンク制御チャネルのサーチ空間タイプは少なくとも、公共サーチ空間、ＵＥ専用サーチ空間の２種類を有する。
【００６９】
５Ｇにおいて、スケジューリングを必要とするリソースは、開始タイムスロット、タイムスロット数、開始シンボル、シンボル数、ＰＲＢ、ＰＲＢ数、コード領域パラメータ（例えば、シーケンス番号、循環シフト番号、直交マスク番号）、周波数ホッピング・パラメータ（例えば、周波数ホッピングをオンにするかどうか、周波数ホッピングの周波数領域位置）など、多くの次元のパラメータを含む。したがって、異なるＤＣＩフォーマットタイプに異なるリソースセットを設定し、異なるアップリンク・ダウンリンクリソース占有率に異なるリソースセットを設定し、異なるダウンリンク制御チャネルのサーチ空間タイプに異なるリソースセットを設定することができる。
【００７０】
１）設定情報に１つの次元の設定が含まれる場合を例にすると、前記異なるリソースセットがそれぞれ異なる設定情報に対応することは、
前記異なるリソースセットがそれぞれ異なるＤＣＩフォーマットタイプに対応し、または、
前記異なるリソースセットがそれぞれ異なるアップリンク・ダウンリンクリソース占有率に対応し、または、
前記異なるリソースセットがそれぞれ異なるダウンリンク制御チャネルのサーチ空間タイプに対応することを含む。
【００７１】
例えば、ＤＣＩフォーマット１がリソースセット１に対応し、ＤＣＩフォーマット２がリソースセット２に対応する。
【００７２】
また例えば、アップリンク・ダウンリンクリソース占有率１がリソースセット１に対応し、アップリンク・ダウンリンクリソース占有率２がリソースセット２に対応する。
【００７３】
また例えば、公共サーチ空間がリソースセット１に対応し、ＵＥ専用サーチ空間がリソースセット２に対応する。
【００７４】
２）設定情報に２つの次元の設定が含まれる場合を例にすると、前記異なるリソースセットがそれぞれ異なる設定情報に対応することは、
前記異なるリソースセットがそれぞれ異なるＤＣＩフォーマットタイプとアップリンク・ダウンリンクリソース占有率に対応し、または、
前記異なるリソースセットがそれぞれ異なるＤＣＩフォーマットタイプとダウンリンク制御チャネルのサーチ空間タイプに対応し、または、
前記異なるリソースセットがそれぞれ異なるアップリンク・ダウンリンクリソース占有率とダウンリンク制御チャネルのサーチ空間タイプに対応することを含む。
【００７５】
例えば、ＤＣＩフォーマット１とアップリンク・ダウンリンクリソース占有率１がリソースセット１に対応し、ＤＣＩフォーマット２とアップリンク・ダウンリンクリソース占有率２がリソースセット２に対応する。
【００７６】
また例えば、ＤＣＩフォーマット１と公共サーチ空間がリソースセット１に対応し、ＤＣＩフォーマット２とＵＥ専用サーチ空間がリソースセット２に対応する。
【００７７】
また例えば、アップリンク・ダウンリンクリソース占有率１と公共サーチ空間がリソースセット１に対応し、アップリンク・ダウンリンクリソース占有率２とＵＥ専用サーチ空間がリソースセット２に対応する。
【００７８】
３）設定情報に３つの次元の設定が含まれる場合を例にすると、前記異なるリソースセットがそれぞれ異なる設定情報に対応することは、
前記異なるリソースセットがそれぞれ異なるＤＣＩフォーマットタイプ、アップリンク・ダウンリンクリソース占有率、及びダウンリンク制御チャネルのサーチ空間タイプに対応することを含む。
【００７９】
例えば、ＤＣＩフォーマット１、アップリンク・ダウンリンクリソース占有率１、及び公共サーチ空間がリソースセット１に対応し、ＤＣＩフォーマット２、アップリンク・ダウンリンクリソース占有率２、及びＵＥ専用サーチ空間がリソースセット２に対応する。
【００８０】
ステップ１０２では、前記端末が第１設定情報を決定する。
【００８１】
本発明の実施例において、端末が第１設定情報を決定することは、以下の形態で実現できるが、その限りではない。
【００８２】
形態１では、端末が予め設定されたルールに基づいて前記第１設定情報を獲得する。
【００８３】
ここで、端末は予め設定されたルールに基づいてある操作（例えば、ある情報または信号を検出すること）を行い、それによって、第１設定情報を獲得する。
【００８４】
形態２では、端末がネットワーク装置から送信された第２メッセージに基づいて、第１設定情報を決定する。
【００８５】
ここで、前記第２メッセージはＲＲＣ制御シグナリング、またはＳＩ、またはＤＣＩ、またはＭＡＣ  ＣＥである。
【００８６】
ステップ１０３では、前記端末が前記少なくとも２つのリソースセットから前記第１設定情報に対応する第１リソースセットを決定する。
【００８７】
ステップ１０４では、前記端末が前記第１リソースセットからターゲットリソースを決定する。
【００８８】
具体的には、端末がネットワーク装置から送信された第３メッセージに基づいて、前記第１リソースセットからターゲットリソースを決定し、
前記第３メッセージは、前記第１リソースの前記第１リソースセットでの番号情報を含む。
【００８９】
ここで、前記第３メッセージは、ＤＣＩ及び／又はＭＡＣ  ＣＥである。
【００９０】
例えば、第３メッセージはＤＣＩであり、ＤＣＩは番号情報を含む。また例えば、第３メッセージは、ＤＣＩとＭＡＣ  ＣＥであり、ＭＡＣ  ＣＥとＭＡＣ  ＣＥが連携して番号情報を指示する。
【００９１】
ステップ１０５では、前記端末が前記ターゲットリソースにおいて、前記第１設定情報に対応するシグナリングまたはデータを伝送する。
【００９２】
理解すべきなのは、本発明の実施例において、前記端末が前記ターゲットリソースにおいてデータまたはシグナリングを伝送することは、前記ターゲットリソースにおいて、ネットワーク装置から送信されたデータまたはシグナリング、即ちダウンリンクデータまたはシグナリングを受信することを含み、前記ターゲットリソースにおいて、データまたはシグナリング、即ちアップリンクデータまたはシグナリングを、ネットワーク装置に送信することも含む。
【００９３】
図２は、本発明実施例のチャネルリソースセットの指示方法の模式的なフローチャット図２であり、図２に示すように、前記チャネルリソースセットの指示方法は以下のステップを含む。
【００９４】
ステップ２０１では、ネットワーク装置が端末に少なくとも２つのリソースセットを設定し、異なるリソースセットはそれぞれ異なる設定情報に基づいて設定され、前記設定情報は、ＤＣＩフォーマットタイプ、アップリンク・ダウンリンクリソース占有率、ダウンリンク制御チャネルのサーチ空間タイプの内の、少なくとも１つを含む。
【００９５】
本発明の実施例において、各リソースセットは少なくとも１つの時間領域、及び／または、周波数領域、及び／または、コード領域のリソースを含む。
【００９６】
１つの実施形態においては、ネットワーク装置が端末に第１メッセージを送信して少なくとも２つのリソースセットの設定を設定する。
【００９７】
ここで、前記第１メッセージはＲＲＣ制御シグナリングまたはＳＩである。
【００９８】
５Ｇにおいて、スケジューリングを必要とするリソースは、開始タイムスロット、タイムスロット数、開始シンボル、シンボル数、ＰＲＢ、ＰＲＢ数、コード領域パラメータ（例えば、シーケンス番号、循環シフト番号、直交マスク番号）、周波数ホッピング・パラメータ（例えば、周波数ホッピングをオンにするかどうか、周波数ホッピングの周波数領域位置）など、多くの次元のパラメータを含む。したがって、異なるＤＣＩフォーマットタイプに異なるリソースセットを設定し、異なるアップリンク・ダウンリンクリソース占有率に異なるリソースセットを設定し、異なるダウンリンク制御チャネルのサーチ空間タイプに異なるリソースセットを設定することができる。
【００９９】
１）設定情報に１つの次元の設定が含まれる場合を例にすると、前記異なるリソースセットをそれぞれ異なる設定情報に基づいて設定することは、
異なるＤＣＩフォーマットタイプに基づいて異なるリソースセットを設定し、または、
異なるアップリンク・ダウンリンクリソース占有率に基づいて異なるリソースセットを設定し、または、
異なるダウンリンク制御チャネルのサーチ空間タイプに基づいて異なるリソースセットを設定することを含む。
【０１００】
２）設定情報に２つの次元の設定が含まれる場合を例にすると、前記異なるリソースセットがそれぞれ異なる設定情報に対応することは、
前記異なるリソースセットがそれぞれ異なるＤＣＩフォーマットタイプとアップリンク・ダウンリンクリソース占有率に対応し、または、
前記異なるリソースセットがそれぞれ異なるＤＣＩフォーマットタイプとダウンリンク制御チャネルのサーチ空間タイプに対応し、または、
前記異なるリソースセットがそれぞれ異なるアップリンク・ダウンリンクリソース占有率とダウンリンク制御チャネルのサーチ空間タイプに対応することを含む。
【０１０１】
３）設定情報に３つの次元の設定が含まれる場合を例にすると、前記異なるリソースセットがそれぞれ異なる設定情報に対応することは、
前記異なるリソースセットがそれぞれ異なるＤＣＩフォーマットタイプ、アップリンク・ダウンリンクリソース占有率、及びダウンリンク制御チャネルのサーチ空間タイプに対応することを含む。
【０１０２】
ステップ２０２では、前記ネットワーク装置が前記端末を指示して前記少なくとも２つのリソースセットの内の１つのリソースセットからターゲットリソースを選択する。
【０１０３】
具体的には、１）前記ネットワーク装置が前記端末に第２メッセージを送信して、前記第２メッセージによって、前記少なくとも２つのリソースセットから第１リソースセットを決定する。２）前記ネットワーク装置が前記端末に第３メッセージを送信して、前記第３メッセージによって、前記第１リソースセットからターゲットリソースを決定し、前記第３メッセージは、前記第１リソースの前記第１リソースセットでの番号情報を含む。
【０１０４】
上記１）にとって、前記第２メッセージはＲＲＣ制御シグナリング、またはＳＩ、またはＤＣＩ、またはＭＡＣ  ＣＥである。
【０１０５】
上記２）にとって、前記第３メッセージは、ＤＣＩ及び／又はＭＡＣ  ＣＥである。
【０１０６】
図３は、本発明実施例のチャネルリソースセットの指示装置の模式的な構造構成図１であり、図３に示すように、前記チャネルリソースセットの指示装置は、
少なくとも２つのリソースセットを決定し、異なるリソースセットはそれぞれ異なる設定情報に対応し、前記設定情報は、ＤＣＩフォーマットタイプ、アップリンク・ダウンリンクリソース占有率、ダウンリンク制御チャネルのサーチ空間タイプの内の、少なくとも１つを含むように設定される第１決定ユニット３０１と、
第１設定情報を決定するように設定される第２決定ユニット３０２と、
前記少なくとも２つのリソースセットから前記第１設定情報に対応する第１リソースセットを決定するように設定される第１選択ユニット３０３と、
前記第１リソースセットからターゲットリソースを決定するように設定される第２選択ユニット３０４と、
前記ターゲットリソースにおいて、前記第１設定情報に対応するシグナリングまたはデータを伝送するように設定される伝送ユニット３０５と、を含む。
【０１０７】
１つの実施形態において、前記第１決定ユニット３０１は、予め設定された情報に基づいて、少なくとも２つのリソースセットの設定を決定するように設定される。
【０１０８】
１つの実施形態において、前記第１決定ユニット３０１は、ネットワーク装置から送信された第１メッセージに基づいて、少なくとも２つのリソースセットの設定を決定するように設定される。
【０１０９】
１つの実施形態において、前記第１メッセージはＲＲＣ制御シグナリングまたはＳＩである。
【０１１０】
１つの実施形態において、前記第２決定ユニット３０２は、予め設定されたルールに基づいて前記第１設定情報を獲得するように設定される。
【０１１１】
１つの実施形態において、前記第２決定ユニット３０２は、ネットワーク装置から送信された第２メッセージに基づいて、第１設定情報を決定するように設定される。
【０１１２】
１つの実施形態において、前記第２メッセージは、ＲＲＣ制御シグナリング、またはＳＩ、またはＤＣＩ、またはメディアアクセス制御ＭＡＣの制御要素ＣＥである。
【０１１３】
１つの実施形態において、前記第２選択ユニット３０４は、ネットワーク装置から送信された第３メッセージに基づいて、前記第１リソースセットからターゲットリソースを決定するように設定され、
前記第３メッセージは、前記第１リソースの前記第１リソースセットでの番号情報を含む。
【０１１４】
１つの実施形態において、前記第３メッセージは、ＤＣＩ及び／又はＭＡＣ  ＣＥである。
【０１１５】
１つの実施形態において、前記異なるリソースセットがそれぞれ異なる設定情報に対応することは、
前記異なるリソースセットがそれぞれ異なるＤＣＩフォーマットタイプに対応し、または、
前記異なるリソースセットがそれぞれ異なるアップリンク・ダウンリンクリソース占有率に対応し、または、
前記異なるリソースセットがそれぞれ異なるダウンリンク制御チャネルのサーチ空間タイプに対応することを含む。
【０１１６】
１つの実施形態において、前記異なるリソースセットがそれぞれ異なる設定情報に対応することは、
前記異なるリソースセットがそれぞれ異なるＤＣＩフォーマットタイプとアップリンク・ダウンリンクリソース占有率に対応し、または、
前記異なるリソースセットがそれぞれ異なるＤＣＩフォーマットタイプとダウンリンク制御チャネルのサーチ空間タイプに対応し、または、
前記異なるリソースセットがそれぞれ異なるアップリンク・ダウンリンクリソース占有率とダウンリンク制御チャネルのサーチ空間タイプに対応することを含む。
【０１１７】
１つの実施形態において、前記異なるリソースセットがそれぞれ異なる設定情報に対応することは、
前記異なるリソースセットがそれぞれ異なるＤＣＩフォーマットタイプ、アップリンク・ダウンリンクリソース占有率、及びダウンリンク制御チャネルのサーチ空間タイプに対応することを含む。
【０１１８】
１つの実施形態において、各リソースセットは少なくとも１つの時間領域、及び／または、周波数領域、及び／または、コード領域のリソースを含む。
【０１１９】
当業者が理解すべきなのは、図３に示すチャネルリソースセットの指示装置における各ユニットの実現機能は、前述のチャネルリソースセットの指示方法の関係記載を参照して理解できる。図３に示すチャネルリソースセットの指示装置における各ユニットの機能は、プロセッサで実行されるプログラムによって実現できるし、具体的な論理回路によって実現できる。
【０１２０】
図４は、本発明実施例のチャネルリソースセットの指示装置の模式的な構造構成図２であり、図４に示すように、前記チャネルリソースセットの指示装置は、
端末に少なくとも２つのリソースセットを設定し、異なるリソースセットはそれぞれ異なる設定情報に基づいて設定され、前記設定情報は、ＤＣＩフォーマットタイプ、アップリンク・ダウンリンクリソース占有率、ダウンリンク制御チャネルのサーチ空間タイプの内の、少なくとも１つを含むように設定される設定ユニット４０１と、
前記端末を指示して前記少なくとも２つのリソースセットの内の１つのリソースセットからターゲットリソースを選択するように設定される指示ユニット４０２と、を含む。
【０１２１】
１つの実施形態において、前記設定ユニット４０１は、端末に第１メッセージを送信して少なくとも２つのリソースセットの設定を設定するように設定される。
【０１２２】
１つの実施形態において、前記第１メッセージはＲＲＣ制御シグナリングまたはＳＩである。
【０１２３】
１つの実施形態において、前記指示ユニット４０２は、前記端末に第２メッセージを送信して、前記第２メッセージによって、前記少なくとも２つのリソースセットから第１リソースセットを決定するように設定される。
【０１２４】
１つの実施形態において、前記第２メッセージはＲＲＣ制御シグナリング、またはＳＩ、またはＤＣＩ、またはＭＡＣ  ＣＥである。
【０１２５】
１つの実施形態において、前記指示ユニット４０２は、前記端末に第３メッセージを送信して、前記第３メッセージによって、前記第１リソースセットからターゲットリソースを決定するように設定され、
前記第３メッセージは、前記第１リソースの前記第１リソースセットでの番号情報を含む。
【０１２６】
１つの実施形態において、前記第３メッセージは、ＤＣＩ及び／又はＭＡＣ  ＣＥである。
【０１２７】
１つの実施形態において、前記異なるリソースセットをそれぞれ異なる設定情報に基づいて設定することは、
異なるＤＣＩフォーマットタイプに基づいて異なるリソースセットを設定し、または、
異なるアップリンク・ダウンリンクリソース占有率に基づいて異なるリソースセットを設定し、または、
異なるダウンリンク制御チャネルのサーチ空間タイプに基づいて異なるリソースセットを設定することを含む。
【０１２８】
１つの実施形態において、前記異なるリソースセットをそれぞれ異なる設定情報に基づいて設定することは、
異なるＤＣＩフォーマットタイプとアップリンク・ダウンリンクリソース占有率に基づいて異なるリソースセットを設定し、または、
異なるＤＣＩフォーマットタイプとダウンリンク制御チャネルのサーチ空間タイプに基づいて異なるリソースセットを設定し、または、
異なるアップリンク・ダウンリンクリソース占有率とダウンリンク制御チャネルのサーチ空間タイプに基づいて異なるリソースセットを設定することを含む。
【０１２９】
１つの実施形態において、前記異なるリソースセットをそれぞれ異なる設定情報に基づいて設定することは、
異なるＤＣＩフォーマットタイプ、アップリンク・ダウンリンクリソース占有率、及びダウンリンク制御チャネルのサーチ空間タイプに基づいて異なるリソースセットを設定することを含む。
【０１３０】
当業者が理解すべきなのは、図４に示すチャネルリソースセットの指示装置における各ユニットの実現機能は、前述のチャネルリソースセットの指示方法の関係記載を参照して理解できる。図４に示すチャネルリソースセットの指示装置における各ユニットの機能は、プロセッサで実行されるプログラムによって実現できるし、具体的な論理回路によって実現できる。
【０１３１】
本発明実施例の上記チャネルリソースセットの指示装置について、もしソフトウェア機能モジュールの形で実現され、そして独立した製品として販売または使用される場合、一つのコンピュータ読み取り可能な記憶媒体に記憶されてもよい。このような理解に基づいて分かるように、本発明実施例の技術案の本質的な部分、又は従来技術に貢献する部分は、ソフトウェア製品の形式で具現でき、該コンピュータソフトウェア製品は１つの記憶媒体に記憶され、そして、１台のコンピュータ装置（パーソナルコンピュータ、サーバ、又はネットワーク装置等）に本発明の各実施例に記載の方法の全部又は一部を実行させるための複数の命令を含む。前述の記憶媒体は、ＵＳＢディスク、リムーバブルハードディスク、読み出し専用メモリ（ＲＯＭ、Ｒｅａｄ−Ｏｎｌｙ  Ｍｅｍｏｒｙ）、磁気ディスクまたは光ディスクなど、プログラムコードを記憶できる各種の媒体を含む。このように、本発明の実施例は、如何なる特定のハードウェアとソフトウェアとの組み合わせに制限されない。
【０１３２】
本発明の実施例はまた、コンピュータ実行可能な命令が記憶されるコンピュータ記憶媒体を提供し、該コンピュータ実行可能な命令がプロセッサによって実行される時、本発明実施例の上記チャネルリソースセットの指示方法が実現される。
【０１３３】
図５は本発明実施例のコンピュータ装置の模式的な構造構成図であり、該コンピュータ装置は端末であってもよく、ネットワーク装置であってもよい。図５に示すように、コンピュータ装置１００は、１つまたは複数（図には１つしか示していない）のプロセッサ１００２（プロセッサ１００２はマイクロプロセッサ（ＭＣＵ、Ｍｉｃｒｏ  Ｃｏｎｔｒｏｌｌｅｒ  Ｕｎｉｔ）またはプログラマブルロジックデバイス（ＦＰＧＡ、Ｆｉｅｌｄ  Ｐｒｏｇｒａｍｍａｂｌｅ  Ｇａｔｅ  Ａｒｒａｙ）などの処理装置を含んでもよいが、これには限らない）と、データを記憶するためのメモリ１００４と、通信機能のための伝送装置１００６と、を含んでもよい。当業者が理解できるように、図５に示す構造は模式的なものでしかなく、上記の電子装置の構造を限定することにはならない。例えば、コンピュータ装置１００は、図５に示されたより更に多いまたは少ない構成要素を含んでもよく、または図５に示されたのと異なる構成を有してもよい。
【０１３４】
メモリ１００４はアプリケーションのソフトウェアプログラム及びモジュール、例えば、本発明実施例におけるページング時間の決定方法に対応するプログラム命令・モジュールを記憶することに用いられることができ、プロセッサ１００２はメモリ１００４に記憶されるソフトウェアプログラム及びモジュールを実行することで、各種機能アプリケーション及びデータ処理を実行し、即ち上記の方法を実現する。メモリ１００４は高速のランダムアクセスメモリを含んでもよく、更に不揮発性メモリ、例えば、１つまたは複数の磁気記憶装置、フラッシュメモリ、または他の不揮発性ソリッドステートメモリなどを含んでもよい。一部の実例において、メモリ１００４は更にプロセッサ１００２に対してリモートで設定されるメモリを含んでもよく、それらのリモートメモリはネットワークを介してコンピュータ装置１００に接続できる。上記ネットワークの実例は、インターネット、イントラネット、ローカルエリアネットワーク、モバイル通信ネットワーク、およびそれらの組み合わせを含むが、これには限らない。
【０１３５】
伝送装置１００６は、ネットワークを介してデータを受信または送信することに用いられる。上記ネットワークの具体的な実例は、コンピュータ装置１００の通信プロバイダーにより提供される無線ネットワークを含んでもよい。１つの実例において、伝送装置１００６は、一つのネットワークアダプタ（ＮＩＣ、Ｎｅｔｗｏｒｋ  Ｉｎｔｅｒｆａｃｅ  Ｃｏｎｔｒｏｌｌｅｒ）を含み、基地局を介して他のネットワーク装置に接続し、それによってインターネットと通信を行うことができる。１つの実例において、伝送装置１００６は、インターネットとワイヤレスで通信するための無線周波（ＲＦ、Ｒａｄｉｏ  Ｆｒｅｑｕｅｎｃｙ）モジュールであってもよい。
【０１３６】
本発明の実施例に記載の技術案同士の間は、衝突がない限り、任意に組み合わせできる。
【０１３７】
本発明の提供する幾つかの実施例において、その開示された方法及びインテリジェント装置は、他の形態で実現されてもよいことが理解される。以上に説明した装置の実施例は単に模式的なものであり、例えば、説明したユニットの区分は論理的な機能区分に過ぎず、実際の実施では別の区分があってもよく、例えば、複数のユニットまたは構成要素が組み合わせられても、別のシステムに統合されてもよく、または一部の特徴が無視されても、または実行されなくてもよい。尚、表示または説明した各構成要素相互間の結合または直接結合または通信接続は、いくつかのインターフェース、装置またはユニットを介した間接結合または通信接続であってもよく、電気的、機械的、または他の形態であってもよい。
【０１３８】
上記分離したものとして説明したユニットは、物理的に分離されてもされなくてもよく、ユニットとして表示したものは、物理的なユニットであってもでなくてもよく、即ち、一箇所にあってもよく、または複数のネットワークユニットに分布されてもよく、実際の需要に基づいて、その一部または全部のユニットを選択して本実施例案の目的を実現してもよい。
【０１３９】
また、本発明の各実施例において、各機能ユニットが全て１つの第２処理ユニットに集積されてもよく、各ユニットがそれぞれ１つのユニットとして独立してもよく、２つ以上のユニットが１つのユニットに集積されてもよく、上記集積されたユニットは、ハードウェアの形で実現されてもよく、ハードウェアとソフトウェア機能ユニットの形で実現されてもよい。
【０１４０】
上記は、本発明の具体的な実施例に過ぎず、本発明の保護範囲はこれに限定されるものではなく、当業者は本発明に開示された技術の範囲内で、容易に想到し得る変化や置換は、いずれも本発明の保護範囲に含まれるべきである。
【図１】
2021512511.tif 000003
【図２】
2021512511.tif 000004
【図３】
2021512511.tif 000005
【図４】
2021512511.tif 000006
【図５】
2021512511.tif 000007
【手続補正書】
【提出日】令和2年11月13日(2020.11.13)
【手続補正１】
【補正対象書類名】明細書
【補正対象項目名】００１３
【補正方法】変更
【補正の内容】
【００１３】
本発明の実施例において、前記端末が前記第１リソースセットからターゲットリソースを決定することは、
前記端末がネットワーク装置から送信された第３メッセージに基づいて、前記第１リソースセットからターゲットリソースを決定し、
前記第３メッセージは、前記ターゲットリソースの前記第１リソースセットでの番号情報を含むことを含む。
【手続補正２】
【補正対象書類名】明細書
【補正対象項目名】００２４
【補正方法】変更
【補正の内容】
【００２４】
本発明の実施例において、前記方法は更に、
前記ネットワーク装置が前記端末に第３メッセージを送信して、前記第３メッセージによって、前記第１リソースセットからターゲットリソースを決定し、
前記第３メッセージは、前記ターゲットリソースの前記第１リソースセットでの番号情報を含むことを含む。
【手続補正３】
【補正対象書類名】明細書
【補正対象項目名】００３６
【補正方法】変更
【補正の内容】
【００３６】
本発明の実施例において、前記第２選択ユニットは、ネットワーク装置から送信された第３メッセージに基づいて、前記第１リソースセットからターゲットリソースを決定するように設定され、
前記第３メッセージは、前記ターゲットリソースの前記第１リソースセットでの番号情報を含む。
【手続補正４】
【補正対象書類名】明細書
【補正対象項目名】００４７
【補正方法】変更
【補正の内容】
【００４７】
本発明の実施例において、前記指示ユニットは、前記端末に第３メッセージを送信して、前記第３メッセージによって、前記第１リソースセットからターゲットリソースを決定するように設定され、
前記第３メッセージは、前記ターゲットリソースの前記第１リソースセットでの番号情報を含む。
【手続補正５】
【補正対象書類名】明細書
【補正対象項目名】００８８
【補正方法】変更
【補正の内容】
【００８８】
具体的には、端末がネットワーク装置から送信された第３メッセージに基づいて、前記第１リソースセットからターゲットリソースを決定し、
前記第３メッセージは、前記ターゲットリソースの前記第１リソースセットでの番号情報を含む。
【手続補正６】
【補正対象書類名】明細書
【補正対象項目名】０１０３
【補正方法】変更
【補正の内容】
【０１０３】
具体的には、１）前記ネットワーク装置が前記端末に第２メッセージを送信して、前記第２メッセージによって、前記少なくとも２つのリソースセットから第１リソースセットを決定する。２）前記ネットワーク装置が前記端末に第３メッセージを送信して、前記第３メッセージによって、前記第１リソースセットからターゲットリソースを決定し、前記第３メッセージは、前記ターゲットリソースの前記第１リソースセットでの番号情報を含む。
【手続補正７】
【補正対象書類名】明細書
【補正対象項目名】０１１３
【補正方法】変更
【補正の内容】
【０１１３】
１つの実施形態において、前記第２選択ユニット３０４は、ネットワーク装置から送信された第３メッセージに基づいて、前記第１リソースセットからターゲットリソースを決定するように設定され、
前記第３メッセージは、前記ターゲットリソースの前記第１リソースセットでの番号情報を含む。
【手続補正８】
【補正対象書類名】明細書
【補正対象項目名】０１２５
【補正方法】変更
【補正の内容】
【０１２５】
１つの実施形態において、前記指示ユニット４０２は、前記端末に第３メッセージを送信して、前記第３メッセージによって、前記第１リソースセットからターゲットリソースを決定するように設定され、
前記第３メッセージは、前記ターゲットリソースの前記第１リソースセットでの番号情報を含む。
【手続補正９】
【補正対象書類名】明細書
【補正対象項目名】０１３４
【補正方法】変更
【補正の内容】
【０１３４】
メモリ１００４はアプリケーションのソフトウェアプログラム及びモジュール、例えば、本発明実施例におけるチャネルリソースセットの指示方法に対応するプログラム命令・モジュールを記憶することに用いられることができ、プロセッサ１００２はメモリ１００４に記憶されるソフトウェアプログラム及びモジュールを実行することで、各種機能アプリケーション及びデータ処理を実行し、即ち上記の方法を実現する。メモリ１００４は高速のランダムアクセスメモリを含んでもよく、更に不揮発性メモリ、例えば、１つまたは複数の磁気記憶装置、フラッシュメモリ、または他の不揮発性ソリッドステートメモリなどを含んでもよい。一部の実例において、メモリ１００４は更にプロセッサ１００２に対してリモートで設定されるメモリを含んでもよく、それらのリモートメモリはネットワークを介してコンピュータ装置１００に接続できる。上記ネットワークの実例は、インターネット、イントラネット、ローカルエリアネットワーク、モバイル通信ネットワーク、およびそれらの組み合わせを含むが、これには限らない。
【手続補正１０】
【補正対象書類名】特許請求の範囲
【補正対象項目名】全文
【補正方法】変更
【補正の内容】
【特許請求の範囲】
【請求項１】
チャネルリソースセットの指示方法であって、前記方法は、
端末が少なくとも２つのリソースセットを決定し、異なるリソースセットはそれぞれ異なる設定情報に対応し、前記設定情報は、ダウンリンク制御情報（ＤＣＩ）フォーマットタイプ、アップリンク・ダウンリンクリソース占有率、ダウンリンク制御チャネルのサーチ空間タイプの内の、少なくとも１つを含むことと、
前記端末が第１設定情報を決定することと、
前記端末が前記少なくとも２つのリソースセットから前記第１設定情報に対応する第１リソースセットを決定することと、
前記端末が前記第１リソースセットからターゲットリソースを決定することと、
前記端末が前記ターゲットリソースにおいて、前記第１設定情報に対応するシグナリングまたはデータを伝送することと、を含むチャネルリソースセットの指示方法。
【請求項２】
前記端末が少なくとも２つのリソースセットを決定することは、
前記端末が予め設定された情報に基づいて、少なくとも２つのリソースセットの設定を決定することを含む、請求項１に記載の方法。
【請求項３】
前記端末が少なくとも２つのリソースセットを決定することは、
前記端末がネットワーク装置から送信された第１メッセージに基づいて、少なくとも２つのリソースセットの設定を決定し、前記第１メッセージは無線リソース制御（ＲＲＣ）制御シグナリングまたはシステム情報（ＳＩ）であることを含む、請求項１に記載の方法。
【請求項４】
前記端末が第１設定情報を決定することは、
前記端末が予め設定されたルールに基づいて前記第１設定情報を獲得すること、或いは、
前記端末がネットワーク装置から送信された第２メッセージに基づいて、第１設定情報を決定し、前記第２メッセージは、ＲＲＣ制御シグナリング、またはＳＩ、またはＤＣＩ、またはメディアアクセス制御（ＭＡＣ）の制御要素（ＣＥ）であること、を含む、請求項１に記載の方法。
【請求項５】
前記端末が前記第１リソースセットからターゲットリソースを決定することは、
前記端末がネットワーク装置から送信された第３メッセージに基づいて、前記第１リソースセットからターゲットリソースを決定することを含み、
前記第３メッセージは、前記ターゲットリソースの前記第１リソースセットでの番号情報を含み、前記第３メッセージは、ＤＣＩ及び／又はＭＡＣ  ＣＥである、請求項１に記載の方法。
【請求項６】
前記異なるリソースセットがそれぞれ異なる設定情報に対応することは、
前記異なるリソースセットがそれぞれ異なるＤＣＩフォーマットタイプに対応し、または、
前記異なるリソースセットがそれぞれ異なるアップリンク・ダウンリンクリソース占有率に対応し、または、
前記異なるリソースセットがそれぞれ異なるダウンリンク制御チャネルのサーチ空間タイプに対応することを含む、請求項１〜５のいずれか１項に記載の方法。
【請求項７】
各リソースセットは少なくとも１つの時間領域、及び／または、周波数領域、及び／または、コード領域のリソースを含む、請求項１〜６のいずれか１項に記載の方法。
【請求項８】
チャネルリソースセットの指示方法であって、前記方法は、
ネットワーク装置が端末に少なくとも２つのリソースセットを設定し、異なるリソースセットはそれぞれ異なる設定情報に基づいて設定され、前記設定情報は、ＤＣＩフォーマットタイプ、アップリンク・ダウンリンクリソース占有率、ダウンリンク制御チャネルのサーチ空間タイプの内の、少なくとも１つを含むことと、
前記ネットワーク装置が前記端末を指示して前記少なくとも２つのリソースセットの内の１つのリソースセットからターゲットリソースを選択することと、を含むチャネルリソースセットの指示方法。
【請求項９】
前記ネットワーク装置が端末に少なくとも２つのリソースセットを設定することは、
ネットワーク装置が端末に第１メッセージを送信して少なくとも２つのリソースセットの設定を設定することを含み、
前記第１メッセージはＲＲＣ制御シグナリングまたはＳＩである、請求項８に記載の方法。
【請求項１０】
前記方法は更に、
前記ネットワーク装置が前記端末に第２メッセージを送信して、前記第２メッセージによって、前記少なくとも２つのリソースセットから第１リソースセットを決定し、前記第２メッセージは、ＲＲＣ制御シグナリング、またはＳＩ、またはＤＣＩ、またはＭＡＣ  ＣＥであること、或いは、
前記ネットワーク装置が前記端末に第３メッセージを送信して、前記第３メッセージによって、前記第１リソースセットからターゲットリソースを決定し、前記第３メッセージは、前記ターゲットリソースの前記第１リソースセットでの番号情報を含み、前記第３メッセージは、ＤＣＩ及び／又はＭＡＣ  ＣＥであること、を含む、請求項８に記載の方法。
【請求項１１】
前記異なるリソースセットをそれぞれ異なる設定情報に基づいて設定することは、
異なるＤＣＩフォーマットタイプに基づいて異なるリソースセットを設定し、または、
異なるアップリンク・ダウンリンクリソース占有率に基づいて異なるリソースセットを設定し、または、
異なるダウンリンク制御チャネルのサーチ空間タイプに基づいて異なるリソースセットを設定することを含む、請求項８〜１０のいずれか１項に記載の方法。
【請求項１２】
チャネルリソースセットの指示装置であって、前記装置は、
少なくとも２つのリソースセットを決定し、異なるリソースセットはそれぞれ異なる設定情報に対応し、前記設定情報は、ＤＣＩフォーマットタイプ、アップリンク・ダウンリンクリソース占有率、ダウンリンク制御チャネルのサーチ空間タイプの内の、少なくとも１つを含むように設定される第１決定ユニットと、
第１設定情報を決定するように設定される第２決定ユニットと、
前記少なくとも２つのリソースセットから前記第１設定情報に対応する第１リソースセットを決定するように設定される第１選択ユニットと、
前記第１リソースセットからターゲットリソースを決定するように設定される第２選択ユニットと、
前記ターゲットリソースにおいて、前記第１設定情報に対応するシグナリングまたはデータを伝送するように設定される伝送ユニットと、を含む、チャネルリソースセットの指示装置。
【請求項１３】
前記第１決定ユニットは、予め設定された情報に基づいて、少なくとも２つのリソースセットの設定を決定するように設定される、請求項１２に記載の装置。
【請求項１４】
前記第１決定ユニットは、ネットワーク装置から送信された第１メッセージに基づいて、少なくとも２つのリソースセットの設定を決定するように設定され、前記第１メッセージはＲＲＣ制御シグナリングまたはＳＩである、請求項１２に記載の装置。
【請求項１５】
前記第２決定ユニットは、予め設定されたルールに基づいて前記第１設定情報を獲得するように設定され、或いは、
前記第２決定ユニットは、ネットワーク装置から送信された第２メッセージに基づいて、第１設定情報を決定するように設定され、前記第２メッセージは、ＲＲＣ制御シグナリング、またはＳＩ、またはＤＣＩ、またはメディアアクセス制御（ＭＡＣ）の制御要素（ＣＥ）である、請求項１２に記載の装置。
【請求項１６】
前記第２選択ユニットは、ネットワーク装置から送信された第３メッセージに基づいて、前記第１リソースセットからターゲットリソースを決定するように設定され、
前記第３メッセージは、前記ターゲットリソースの前記第１リソースセットでの番号情報を含み、前記第３メッセージは、ＤＣＩ及び／又はＭＡＣ  ＣＥである、請求項１２に記載の装置。
【請求項１７】
前記異なるリソースセットがそれぞれ異なる設定情報に対応することは、
前記異なるリソースセットがそれぞれ異なるＤＣＩフォーマットタイプに対応し、または、
前記異なるリソースセットがそれぞれ異なるアップリンク・ダウンリンクリソース占有率に対応し、または、
前記異なるリソースセットがそれぞれ異なるダウンリンク制御チャネルのサーチ空間タイプに対応することを含む、請求項１２〜１６のいずれか１項に記載の装置。
【請求項１８】
各リソースセットは少なくとも１つの時間領域、及び／または、周波数領域、及び／または、コード領域のリソースを含む、請求項１２〜１７のいずれか１項に記載の装置。
【請求項１９】
チャネルリソースセットの指示装置であって、前記装置は、
端末に少なくとも２つのリソースセットを設定し、異なるリソースセットはそれぞれ異なる設定情報に基づいて設定され、前記設定情報は、ＤＣＩフォーマットタイプ、アップリンク・ダウンリンクリソース占有率、ダウンリンク制御チャネルのサーチ空間タイプの内の、少なくとも１つを含むように設定される設定ユニットと、
前記端末を指示して前記少なくとも２つのリソースセットの内の１つのリソースセットからターゲットリソースを選択するように設定される指示ユニットと、を含むチャネルリソースセットの指示装置。
【請求項２０】
前記設定ユニットは、端末に第１メッセージを送信して少なくとも２つのリソースセットの設定を設定するように設定され、前記第１メッセージはＲＲＣ制御シグナリングまたはＳＩである、請求項１９に記載の装置。
【請求項２１】
前記指示ユニットは、前記端末に第２メッセージを送信して、前記第２メッセージによって、前記少なくとも２つのリソースセットから第１リソースセットを決定するように設定され、前記第２メッセージは、ＲＲＣ制御シグナリング、またはＳＩ、またはＤＣＩ、またはＭＡＣ  ＣＥであり、或いは、
前記指示ユニットは、前記端末に第３メッセージを送信して、前記第３メッセージによって、前記第１リソースセットからターゲットリソースを決定するように設定され、
前記第３メッセージは、前記ターゲットリソースの前記第１リソースセットでの番号情報を含み、前記第３メッセージは、ＤＣＩ及び／又はＭＡＣ  ＣＥである、請求項１９に記載の装置。
【請求項２２】
前記異なるリソースセットをそれぞれ異なる設定情報に基づいて設定することは、
異なるＤＣＩフォーマットタイプに基づいて異なるリソースセットを設定し、または、
異なるアップリンク・ダウンリンクリソース占有率に基づいて異なるリソースセットを設定し、または、
異なるダウンリンク制御チャネルのサーチ空間タイプに基づいて異なるリソースセットを設定することを含む、請求項１９〜２１のいずれか１項に記載の装置。
【国際調査報告】
2021512511.tif 000008
2021512511.tif 000009
2021512511.tif 000010
2021512511.tif 000011